(57)【特許請求の範囲】
【請求項１】
光源から原稿に光を照射して原稿面を走査し、当該原稿に照射された光の反射光あるいは透過光を光電変換手段に入射させて、当該光電変換手段により前記原稿面での光の反射率または透過率に応じたアナログの電気信号に変換した画像信号を得る画像読取装置であって、
前記光電変換手段を駆動させるための所定周波数の駆動信号を生成して前記光電変換手段に出力する駆動信号発生手段と、
前記光電変換手段の出力する前記画像信号を増幅する増幅手段と、
前記増幅手段の利得を変化させる利得可変手段と、
前記増幅手段の増幅した前記アナログの前記画像信号を所定の基準値に基づいてデジタルの画像信号に変換するＡ／Ｄ変換手段と、
前記原稿の読取領域外に配設された白基準板と、前記原稿の前記読取領域内に設けられ前記原稿の地肌を読み取るための地肌読取領域と、
前記原稿の前記地肌読取領域の前記画像信号のピーク値を検出保持するピーク検出手段と、
前記ピーク検出手段の検出保持した前記ピーク値と前記Ａ／Ｄ変換手段の前記基準値との偏差を算出して、当該偏差が予め設定された所定の基準偏差より大きいか否かを判定する判定手段と、
を備え、
前記読取領域を走査して当該原稿の画像を読み取る本スキャンの前に前記白基準板と前記地肌読取領域をプレスキャンし、
前記判定手段が、前記地肌読取領域の前記画像信号の前記ピーク値と前記Ａ／Ｄ変換手段の前記基準値との偏差を算出し、当該偏差が前記基準偏差よりも大きいと判定すると、前記利得可変手段が、前記ピーク値が前記基準値と等しくなるように前記増幅手段の利得を変化させる利得調整処理を行った後、前記読取領域の読取動作を行う画像読取装置において、
前記駆動信号発生手段は、前記駆動信号の周波数を変化させる周波数可変機能を備え、前記判定手段の判定結果により前記増幅手段の利得を増大させる際、前記利得可変手段が前記増幅手段の利得を増大させるに先立って、前記地肌読取領域以外の前記原稿の読取領域においては、前記駆動信号の周波数を前記所定の周波数よりも所定量低い周波数に変化させ、前記地肌読取領域においては、前記所定の周波数よりも所定量高い周波数に変化させることを特徴とする画像読取装置。
【請求項２】
前記画像読取装置は、前記利得調整処理の強制動作を指示する白基準指示手段を、さらに備え、前記白基準指示手段により前記利得調整処理の強制動作が指示されると、前記利得可変手段は、前記判定手段の判定結果にかかわらず、前記増幅手段の前記利得調整処理を行うことを特徴とする請求項１記載の画像読取装置。
【請求項３】
前記判定手段は、前記地肌読取領域の前記画像信号の平均値と前記Ａ／Ｄ変換手段の前記基準値との偏差を算出し、当該偏差が前記基準偏差より大きいか否かを判定することを特徴とする請求項１または請求項２記載の画像読取装置。
【請求項４】
前記地肌読取領域は、前記白基準板に隣接して設けられていることを特徴とする請求項１から請求項３のいずれかに記載の画像読取装置。
【発明の詳細な説明】
【０００１】
【発明の属する技術分野】
本発明は、画像読取装置に関し、詳細には、画像信号を増幅する増幅手段の利得を適切に設定して、高品位な画像の読み取りを行う画像読取装置に関する。
【０００２】
【従来の技術】
原稿に光源からの光を照射し、その反射光あるいは透過光をＣＣＤ（Ｃｈａｒｇｅ  Ｃｏｕｐｌｅｄ  Ｄｅｖｉｃｅ  ）等の光電変換素子を用いて電気信号に変換して、原稿の画像を読み取る画像読取装置においては、光源の発光光量の経時変動、温度上昇に伴なう変動等、また、光電変換素子の画素毎の感度の変動等による読取濃度の変動等があり、これらに伴う画質の低下を防止するために、従来から、原稿の画像の読取前に白基準板を走査して、白基準データを取得し、この白基準データに基づいて原稿の画像のシェーディング補正を行うことが行われている。
【０００３】
また、カラー等の多階調な原稿の画像を読み取るカラー画像読取装置においては、階調数を多く取って高解像度の画像を読み取るために、光電変換素子の出力のダイナミックレンジを広くとる必要がある。
【０００４】
そこで、従来、反射率の低い原稿や地肌を有した原稿等を読み取る際には、光源の光量を増大させたり、光蓄積時間を長くすることが行われている（特開平６−３０１９６号公報及び特開平３−２１７１６１号公報参照）。
【０００５】
【発明が解決しようとする課題】
しかしながら、このような従来の画像読取装置にあっては、反射率の低い原稿や地肌を有した原稿等を読み取る際に、光源の光量を増大させたり、光蓄積時間を長くしていたため、色再現性が劣化したり、Ｓ／Ｎ比が劣化するという問題があった。すなわち、光源の光量をフィードバック制御等により増大させると、光源の色温度が変わって色再現性が劣化し、光蓄積時間を長くすると、光電変換素子の暗時出力成分も増大して、Ｓ／Ｎ比が劣化するという問題があった。また、厳密には、原稿の白（地肌）と画像読取装置内に設けた白基準板の白とでは、異なり、原稿の地肌を白くしたいことが多いが、白基準板のみを読み取って画像処理を行うと、原稿の地肌を適切に白色にすることができず、画像が劣化するという問題があった。
【０００６】
本発明は、読取原稿の多くが、端部に地肌（白基準）を有していることを利用し、上記課題を解決するものである。
【０００７】
本発明はこのような従来の実情に鑑みてなされたもので、その目的は、画像信号のサンプリングを確実に行うことができるとともに、光蓄積時間をほぼ一定にすることができ、暗時出力成分を増大させることなく、より一層安定した高品位な画像の読み取りを行うことのできる画像読取装置を提供することにある。
【００１３】
【課題を解決するための手段】
請求項１記載の発明の画像読取装置は、光源から原稿に光を照射して原稿面を走査し、当該原稿に照射された光の反射光あるいは透過光を光電変換手段に入射させて、当該光電変換手段により前記原稿面での光の反射率または透過率に応じたアナログの電気信号に変換した画像信号を得る画像読取装置であって、前記光電変換手段を駆動させるための所定周波数の駆動信号を生成して前記光電変換手段に出力する駆動信号発生手段と、前記光電変換手段の出力する前記画像信号を増幅する増幅手段と、前記増幅手段の利得を変化させる利得可変手段と、前記増幅手段の増幅した前記アナログの前記画像信号を所定の基準値に基づいてデジタルの画像信号に変換するＡ／Ｄ変換手段と、前記原稿の読取領域外に配設された白基準板と、前記原稿の前記読取領域内に設けられ前記原稿の地肌を読み取るための地肌読取領域と、前記原稿の前記地肌読取領域の前記画像信号のピーク値を検出保持するピーク検出手段と、前記ピーク検出手段の検出保持した前記ピーク値と前記Ａ／Ｄ変換手段の前記基準値との偏差を算出して、当該偏差が予め設定された所定の基準偏差より大きいか否かを判定する判定手段と、を備え、前記読取領域を走査して当該原稿の画像を読み取る本スキャンの前に前記白基準板と前記地肌読取領域をプレスキャンし、前記判定手段が、前記地肌読取領域の前記画像信号の前記ピーク値と前記Ａ／Ｄ変換手段の前記基準値との偏差を算出し、当該偏差が前記基準偏差よりも大きいと判定すると、前記利得可変手段が、前記ピーク値が前記基準値と等しくなるように前記増幅手段の利得を変化させる利得調整処理を行った後、前記読取領域の読取動作を行う画像読取装置において、前記駆動信号発生手段は、前記駆動信号の周波数を変化させる周波数可変機能を備え、前記判定手段の判定結果により前記増幅手段の利得を増大させる際、前記利得可変手段が前記増幅手段の利得を増大させるに先立って、前記地肌読取領域以外の前記原稿の読取領域においては、前記駆動信号の周波数を前記所定の周波数よりも所定量低い周波数に変化させ、前記地肌読取領域においては、前記所定の周波数よりも所定量高い周波数に変化させることにより、上記目的を達成している。
【００１４】
上記構成によれば、増幅手段の利得を増大させる際、増幅手段の利得を増大させるに先立って、地肌読取領域以外の原稿の読取領域においては、光電変換手段に出力する駆動信号の周波数を所定の周波数よりも所定量低い周波数に変化させ、地肌読取領域においては、所定の周波数よりも所定量高い周波数に変化させるので、画像信号のサンプリングを確実に行うことができるとともに、光蓄積時間をほぼ一定にすることができ、暗時出力成分を増大させることなく、より一層安定した高品位な画像の読み取りを行うことができる。
【００１５】
この場合、例えば、請求項２に記載するように、前記画像読取装置は、前記利得調整処理の強制動作を指示する白基準指示手段を、さらに備え、前記白基準指示手段により前記利得調整処理の強制動作が指示されると、前記利得可変手段は、前記判定手段の判定結果にかかわらず、前記増幅手段の前記利得調整処理を行うものであってもよい。
【００１６】
上記構成によれば、増幅手段の利得調整処理の強制動作を指示する白基準指示手段を設け、白基準指示手段により利得調整処理の強制動作指示が行われると、プレスキャン時の地肌読取領域の画像信号のピーク値とＡ／Ｄ変換手段の基準値との偏差が予め設定された基準偏差より大きいか否かにかかわらず、増幅手段の利得調整処理を行うので、原稿の地肌を取り除いた読取動作を行うことができ、高品位な画像の読み取りを行うことができる。
【００１７】
また、例えば、請求項３に記載するように、前記判定手段は、前記地肌読取領域の前記画像信号の平均値と前記Ａ／Ｄ変換手段の前記基準値との偏差を算出し、当該偏差が前記基準偏差より大きいか否かを判定してもよい。
【００１８】
上記構成によれば、プレスキャン時に、地肌読取領域の画像信号の平均値とＡ／Ｄ変換手段の基準値との偏差を算出し、当該偏差が基準偏差より大きいか否かを判定するので、原稿の地肌をより一層適切に取り除いた読取動作を行うことができ、より一層高品位な画像の読み取りを行うことができる。
【００２３】
さらに、例えば、請求項４に記載するように、前記地肌読取領域は、前記白基準板に隣接して設けられていてもよい。
【００２４】
上記構成によれば、地肌読取領域を、白基準板に隣接して設けているので、プレスキャン時に、白基準板の読取条件とほぼ同じ読取条件より地肌読取領域の読み取りを行うことができ、増幅手段の利得の調整処理が必要であるか否かをより一層確実に、かつ、適切に行って、より安定した高品位な画像の読み取りを行うことができる。
【００２５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２６】
図１〜図３は、本発明の画像読取装置の第１の実施の形態を示す図である。図１は、本発明の画像読取装置の第１の実施の形態の画像読取装置１の要部構成図であり、図１において、画像読取装置１は、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、ピーク検出器１３、判定回路１４及び利得可変回路１５、駆動信号発生回路１６、光源駆動回路１７、モータ１８及びモータ駆動制御回路１９等を備えている。
【００２７】
コンタクトガラス２上には、原稿２０がセットされ、この原稿２０のセットされる領域外、すなわち、コンタクトガラス２の光源３と反対側の読取領域ＹＡ外には、白基準板２１が設けられている。このコンタクトガラス２の読取領域ＹＡの白基準板２１側の端部には、副走査方向に所定幅にわたって地肌読取領域Ｊが設けられており、地肌読取領域Ｊは、原稿２０の先端部あるいは後端部の地肌部分を読み取る領域である。地肌読取領域Ｊは、図２に示すように、複走査ライン分を有した前半部ＪＡと後半部ＪＢとに区分されており、これら前半部ＪＡ及び後半部ＪＢの機能については、後述する。
【００２８】
コンタクトガラス２は、モータ１８により図１中矢印方向に移動され、コンタクトガラス２上に固定された白基準板２１及びコンタクトガラス２上にセットされた原稿２０は、コンタクトガラス２とともに図１中矢印方向に移動する。
【００２９】
上記光源３は、コンタクトガラス２を介して白基準板２１及び原稿２０の地肌読取領域Ｊ及び地肌読取領域Ｊ以外の読取領域ＹＡに光を投射し、白基準板２１及び原稿２０で反射された光は、ミラー４及び結像レンズ５を介してＣＣＤセンサアレイ６上に集光される。
【００３０】
ＣＣＤセンサアレイ（光電変換手段）６は、複数の光電変換素子が主走査方向に１走査線幅（１ライン幅）にわたって配設されており、駆動信号発生回路１６からの駆動信号に基づいて動作して、入射される光に対応するアナログの電気信号に変換して画像信号として増幅器７に出力する。このＣＣＤセンサアレイ６と増幅器７との間には、図示しないサンプルホールド回路が設けられており、ＣＣＤセンサアレイ６の出力は、このサンプルホールド回路によりその転送クロック成分が取り除かれた後、増幅器７に入力される。増幅器７（増幅手段）は、ＣＣＤセンサアレイ６から入力されるアナログの画像信号を予め設定された増幅率（利得）で増幅し、Ａ／Ｄ変換回路８及びピーク検出回路１３に出力する。
【００３１】
Ａ／Ｄ変換回路（Ａ／Ｄ変換手段）８は、増幅器７から入力されるアナログの画像信号を所定の下限値と上限値の間で決定されるダイナミックレンジに基づいて、原稿２０を読み取ったときに増幅器７から入力される画像信号を所定ビット数のデジタルの画像信号に変換し、暗出力補正回路９に出力する。このＡ／Ｄ変換回路８の下限値と上限値は、以下のように決定される。すなわち、ＣＣＤセンサアレイ６の１ライン分の出力は、図３に示すようなものとなり、ＣＣＤセンサアレイ６は、まず、感光部がなく転送部のみの画素の出力ＤＳ（Ｅ）を出力し、続いて、感光部が光シールドされた画素の出力ＤＳ（Ｓ）を出力する。そして、ＣＣＤセンサアレイ６は、原稿の画像を読み取ったときの出力（読取データ）を出力する。このＣＣＤセンサアレイ６の出力が、図３の信号ｉで示されており、このＣＣＤセンサアレイ６の出力を、図示しないサンプルホールド回路により転送クロック成分を取り除いたアナログ信号が、図３の信号ｉｉである。Ａ／Ｄ変換回路８は、サンプルホールド回路のサンプルホールドしたＣＣＤセンサアレイ６の出力信号ｉｉのうち、上記感光部がなく転送部のみの画素の出力ＤＳ（Ｅ）を、図示しない別のサンプルホールド回路によりサンプルホールドして、Ａ／Ｄ変換回路８の上限値とし、原稿の読取領域外に設けられた白基準板２１を読み込んだときの出力のピーク値を、上記同様に図示しないピークホールド回路で検出保持して、Ａ／Ｄ変換回路８の下限値（基準値）とする。この上限値と下限値によりＡ／Ｄ変換回路８のダイナミックレンジが決定され、Ａ／Ｄ変換回路８は、この下限値をＡ／Ｄ変換の基準値とする。
【００３２】
暗出力補正回路９は、Ａ／Ｄ変換回路８から入力される画像信号に、図示しない補正メモリに予め記憶されているデータを画素毎に読み出して演算し、ＣＣＤセンサアレイ６の画素毎の暗出力を補正して、シェーディング補正回路１０に出力する。
【００３３】
シェーディング補正回路１０は、照明系、結像系による明るさのバラツキ、ＣＣＤセンサアレイ６の感度バラツキ等等を補正するもので、図示しない補正メモリに予め記憶されているシェーディング補正データを読み出して、画素毎に暗出力補正回路９から入力される画像信号の画素データと演算して、シェーディング補正して、線密度変換回路１１に出力する。シェーディング補正回路１０は、上記補正メモリに、後述するプレスキャン時に白基準板２１を読み取ったときの画像信号を記憶する。
【００３４】
線密度変換回路１１は、シェーディング補正回路１０から入力され画像信号に対して、必要に応じて主走査方向の密度変換を行って、インターフェース１２に出力する。
【００３５】
インターフェース１２には、例えば、記憶装置、記録出力装置あるいは外部装置等が接続され、インターフェース１２は、線密度変換回路１１から入力される画像信号を当該接続された記憶装置や外部装置等に出力する。
【００３６】
上記ピーク検出器（ピーク検出手段）１３は、増幅器７から入力されるＣＣＤセンサアレイ６の出力するアナログの画像信号のピーク値を検出保持し、保持したピーク値を判定回路１４に出力する。特に、ピーク検出器１３は、原稿２０の読み取りを行う前に、予め白基準板２１及び地肌読取領域Ｊを走査するプレスキャン時に、ＣＣＤセンサアレイ６がこの地肌読取領域Ｊを読み取ったときの増幅器７から入力される画像信号のピーク値を検出保持して、判定回路１４に出力する。
【００３７】
判定回路（判定手段）１４には、上述のように、ピーク検出器１３からプレスキャン時の地肌読取領域Ｊを読み取ったときのピーク値が入力されるとともに、プレスキャン開始時に読み取る原稿２０の読取領域外に設けられた白基準板２１のピーク値であるＡ／Ｄ変換回路８の基準値がＡ／Ｄ変換回路８から入力され、判定回路１４は、この基準値とピーク値の偏差を算出して、当該偏差が予め設定されている基準偏差を超えているか否か比較判定して、当該判定結果と当該偏差を利得可変回路１５に出力する。
【００３８】
利得可変回路（利得可変手段）１５は、判定回路１４からの判定結果と偏差に基づいて、上記基準値とピーク値が同じ値になるように、すなわち、偏差が「０」になるように、増幅器７の利得を可変制御する。すなわち、利得可変回路１５は、判定回路１４が上記偏差が上記基準偏差よりも大きいと判定していると、原稿２０の地肌読取領域Ｊのピーク値がＡ／Ｄ変換回路８の基準値と等しくなるように、増幅器７の利得を変化させ、ピーク値が基準値と等しくなると、増幅器７の利得の変化を停止する。
【００３９】
上記駆動信号発生回路（駆動信号発生手段）１６は、所定周波数の駆動信号をＣＣＤセンサアレイ６に出力し、ＣＣＤセンサアレイ６は、駆動信号発生回路１６から入力される駆動信号に基づいて光電変換して、画像信号を増幅器７に出力する。
【００４０】
光源駆動回路１７は、光源３の駆動を制御し、特に、光源３の光量を制御する。
【００４１】
そして、光源駆動回路１７及び駆動信号発生回路１６は、多値画像においても十分なＣＣＤセンサアレイ６の出力が得られる光蓄積時間となるように光源３の光量及び駆動信号の周期を設定して、光源３及びＣＣＤセンサアレイ６の駆動を行う。
【００４２】
次に、本実施の形態の作用を説明する。画像読取装置１は、原稿２０がコンタクトガラス２上にセットされ、読取の開始が指示されると、原稿２０の画像の読取（本スキャン）を行う前に、プレスキャンを行う。このプレスキャンにおいては、少なくとも白基準板２１及び地肌読取領域Ｊを走査する。
【００４３】
すなわち、画像読取装置１は、プレスキャン時、モータ駆動制御回路１９によりモータ１８を駆動させて、少なくとも白基準板２１と地肌読取領域Ｊを光源３からの光の照射位置に移動させ、白基準板２１及び地肌読取領域Ｊの走査を行わせる。このとき、光源駆動回路１７により光源３の光量調整を行う。
【００４４】
そして、画像読取装置１は、プレスキャンにおいて、まず、白基準板２１を読み取り、白基準板２１を読み取ったときのＣＣＤセンサアレイ６の出力する画像信号は、増幅器７で増幅されて、Ａ／Ｄ変換回路８及びピーク検出器１３に出力され、Ａ／Ｄ変換回路８は、このときのピーク値を基準値としてＡ／Ｄ変換を行い、また、このときのＡ／Ｄ変換回路８の出力をシェーディング補正回路１０がシェーディング補正データとして補正メモリに記憶する。Ａ／Ｄ変換回路８は、この決定した基準値を保持するとともに、判定回路１４に出力する。
【００４５】
画像読取装置１は、プレスキャン時、次に、地肌読取領域Ｊを読み取って、この地肌読取領域Ｊを読み取ったときのＣＣＤセンサアレイ６の出力する画像信号を増幅器７で増幅してＡ／Ｄ変換回路８及びピーク検出器１３に出力し、ピーク検出器１３は、地肌読取領域Ｊを読み取ったときの増幅器７からの画像信号のピーク値を検出保持して、判定回路１４に出力する。判定回路１４は、Ａ／Ｄ変換回路８から入力される基準値とピーク検出器１３から入力されるピーク値の偏差を演算して、当該偏差が予め設定されている基準偏差を超えているか否か比較判定して、その判定結果と偏差を利得可変回路１５に出力する。
【００４６】
利得可変回路１５は、判定回路１４が上記偏差が基準偏差よりも大きいと判定すると、原稿２０の地肌読取領域Ｊのピーク値がＡ／Ｄ変換回路８の基準値と等しくなるように、増幅器７の利得を変化させ、ピーク値が基準値と等しくなると、増幅器７の利得の変化を停止する。
【００４７】
すなわち、画像読取装置１は、図２に示した地肌読取領域Ｊの前半部ＪＡを読み取っている間に、ピーク検出器１３にピーク値を検出させ、図２に示した地肌読取領域Ｊの後半部ＪＢを読み取っている間、ピーク検出器１３に検出したピーク値を保持させて、判定回路１４に判定処理を行わせるとともに、利得可変回路１５により増幅器７の利得の調整を行わせて、ピーク値が基準値と等しくなるように、増幅器７の利得を調整制御する。
【００４８】
上記プレスキャンが完了すると、各種補正データの作成を行った後、上記増幅器７の利得を原稿２０の読取動作が完了するまで維持して、原稿２０の読取領域ＹＡを読み取る本スキャンを行う。
【００４９】
すなわち、画像読取装置１は、モータ駆動制御回路１９によりモータ１８を駆動させて、コンタクトガラス２を順次移動させ、コンタクトガラス２上の原稿２０を順次走査し、ＣＣＤセンサアレイ６の出力するアナログの画像信号を増幅器７で増幅して、Ａ／Ｄ変換回路８に出力する。Ａ／Ｄ変換回路８は、増幅器７から入力されるアナログの画像信号を基準値に基づいてデジタルの画像信号に変換して、暗出力補正回路９に出力し、暗出力補正回路９は、Ａ／Ｄ変換回路８から入力されるデジタルの画像信号に暗出力補正を行ってシェーディング補正回路１０に出力する。シェーディング補正回路１０は、暗出力補正の行われたデジタルの画像信号にシェーディング補正を施して、線密度変化回路１１に出力し、線密度変換回路１１は、シェーディング補正の施された画像信号に必要に応じて主走査方向の線密度変換を行って、インターフェース１２を介して図示しない記憶装置や外部装置等に出力する。
【００５０】
したがって、本実施の形態によれば、原稿２０の画像を読み取る前に、プレスキャンを行って、白基準板２１のピーク値である基準値と原稿２０の読取領域ＹＡの一部に設けられた地肌読取領域Ｊに位置する原稿２０の地肌部分のピーク値との偏差が所定の基準偏差よりも大きいと、ピーク値が基準値に一致するまで増幅器７の利得を調整するので、原稿２０を読み取ったときのダイナミックレンジを広げることができ、階調数を多くとることができる。その結果、原稿２０のカラー画像を高品位で読み取ることができる。
【００５１】
また、白基準板２１を読み取ったときのピーク値をＡ／Ｄ変換回路８の基準値としているので、どのような画像の原稿２０であっても、高品位に、かつ、確実に原稿２０の読み取りを行うことができる。
【００５２】
さらに、白基準板２１に隣接して読取領域ＹＡの先端部に地肌読取領域Ｊを設けているので、白基準板２１の読み取りと地肌読取領域Ｊの読み取りとの間の環境温度変化等によるＣＣＤセンサアレイ６の出力変動を考慮する必要がなく、簡単に、かつ、適切に増幅器７の利得調整制御を行うことができるとともに、一般の原稿２０では、原稿２０の先端部に地肌部分があるので、この地肌部分を適切に読み取って、利得調整制御を行うことができる。
【００５３】
図４は、本発明の画像読取装置の第２の実施の形態を示す図である。本実施の形態は、上記第１の実施の形態と同様の実施の形態に適用したものであり、本実施の形態の説明においては、上記第１の実施の形態と同様の構成部分には、同一の符号を付して、その詳細な説明を省略する。
【００５４】
図４において、画像読取装置３０は、上記第１の実施の形態の画像読取装置１と同様に、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、ピーク検出器１３、判定回路１４及び利得可変回路１５、駆動信号発生回路１６、光源駆動回路１７、モータ１８及びモータ駆動制御回路１９等を備えているとともに、白基準選択部３１を備えており、白基準選択部３１は、画像読取装置３０の操作部等に設けられている。
【００５５】
白基準選択部３１は、プレスキャン時に、利得可変回路１５による増幅器７の利得の調整制御を行うかどうかの白基準選択の指示を行うものであり、白基準選択部３１は、その選択指示内容を利得可変回路１５に出力する。画像読取装置３０のオペレータは、この白基準選択部３１を操作することにより、増幅器７の利得の調整制御を行うかどうかの指示を行う。
【００５６】
利得可変回路１５は、白基準選択部３１から白基準選択の指示があると、判定回路１４からの判定結果と偏差に基づいて、ピーク検出器１３からのピーク値がＡ／Ｄ変換回路８からの基準値と一致するように増幅器７の利得を調整制御し、白基準選択部３１から白基準選択の指示がないときには、判定回路１４の判定結果のいかんにかかわらず、増幅器７の利得の調整制御を行わない。
【００５７】
したがって、本実施の形態によれば、白基準選択部３１の選択操作により、利得可変回路１５による増幅器７の利得の調整制御を行うか否かを設定することができ、白基準となる地肌を有していない原稿２０に対しても、読み取りを安定して行わせることができる。その結果、全ての原稿２０に対して適切に、かつ、高品位に画像を読み取ることができる。
【００５８】
図５は、本発明の画像読取装置の第３の実施の形態を示す図である。本実施の形態は、上記第１の実施の形態と同様の実施の形態に適用したものであり、本実施の形態の説明においては、上記第１の実施の形態と同様の構成部分には、同一の符号を付して、その詳細な説明を省略する。
【００５９】
図５において、画像読取装置４０は、上記第１の実施の形態の画像読取装置１と同様に、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、ピーク検出器１３、判定回路１４及び利得可変回路１５、駆動信号発生回路１６、光源駆動回路１７、モータ１８及びモータ駆動制御回路１９等を備えているとともに、白基準指示部４１を備えており、白基準指示部４１は、画像読取装置４０の操作部等に設けられている。
【００６０】
白基準指示部（白基準指示手段）４１は、利得可変回路１５に判定回路１４の判定結果に基づいて増幅器７の利得の調整制御を行わせるか、判定回路１４の判定結果にかかわらず増幅器７の利得の調整制御を行わせるかを指示するものであり、白基準指示部４１は、その選択指示内容を利得可変回路１５に出力する。画像読取装置４０のオペレータは、この白基準指示部４１を操作することにより、判定回路１４の判定結果に基づいて増幅器７の利得の調整制御を行うかどうかの指示を行う。
【００６１】
利得可変回路１５は、白基準指示部４１から白基準指示があると、判定回路１４の判定結果のいかんにかかわらず、判定回路１４からの偏差に基づいて、ピーク検出器１３からのピーク値がＡ／Ｄ変換回路８からの基準値と一致するように増幅器７の利得を調整制御し、白基準指示部４１から白基準指示がないときには、判定回路１４からの判定結果と偏差に基づいて、ピーク検出器１３からのピーク値がＡ／Ｄ変換回路８からの基準値と一致するように増幅器７の利得を調整制御する。
【００６２】
なお、本実施の形態においては、地肌読取領域Ｊを読み取ったときのピーク値を、Ａ／Ｄ変換回路８の基準値としている。
【００６３】
したがって、本実施の形態によれば、白基準指示部４１の選択操作により、判定回路１４からの判定結果に基づいて利得可変回路１５による増幅器７の利得の調整制御を行うか、判定回路１４からの判定結果のいかんにかかわらず利得可変回路１５による増幅器７の利得の調整を行うかを設定することができ、原稿２０の地肌を取り除いた読取動作を行わせることができる。その結果、より高品位な画像の読み取りを行うことができる。
【００６４】
図６〜図８は、本発明の画像読取装置の第４の実施の形態を示す図である。本実施の形態は、上記第１の実施の形態と同様の実施の形態に適用したものであり、本実施の形態の説明においては、上記第１の実施の形態と同様の構成部分には、同一の符号を付して、その詳細な説明を省略する。
【００６５】
図６において、画像読取装置５０は、上記第１の実施の形態の画像読取装置１と同様に、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、ピーク検出器１３、判定回路１４及び利得可変回路１５、駆動信号発生回路１６、光源駆動回路１７、モータ１８及びモータ駆動制御回路１９等を備えているとともに、地肌判別回路５１を備えている。
【００６６】
地肌判別回路５１には、Ａ／Ｄ変換回路８のデジタル変換した画像信号が入力され、地肌判別回路５１は、プレスキャン時、原稿２０の地肌読取領域Ｊの画像信号に基づいて原稿２０の当該地肌読取領域Ｊが地肌であるかどうかを判別して、判別結果を利得可変回路１５に出力する。
【００６７】
すなわち、地肌判別回路５１は、例えば、図７に示すように構成されており、２個のラッチ回路５２、５３及びビットコンパレータ５４を備えている。ラッチ回路５２には、Ａ／Ｄ変換回路８からＡ／Ｄ変換回路８のデジタル変換した画像信号（Ａ／Ｄ変換出力）が入力されるとともに、ＣＣＤセンサアレイ６の駆動信号に同期したクロックＣＬＫが入力されており、いま、Ａ／Ｄ変換出力が４ビットであるとすると、ラッチ回路５２は、クロックＣＬＫによりＡ／Ｄ変換出力の上位３ビットをラッチしてラッチ出力Ａをラッチ回路５３及びビットコンパレータ５４に出力する。ラッチ回路５３には、ラッチ回路５２のラッチ出力Ａが入力されるとともに、クロックＣＬＫが入力され、ラッチ回路５３は、クロックＣＬＫに基づいてラッチ出力Ａをラッチして、ラッチ出力Ｂとしてビットコンパレータ５４に出力する。ビットコンパレータ５４には、上記ラッチ回路５２のラッチ出力Ａとラッチ回路５３のラッチ出力Ｂが入力され、ビットコンパレータ５４は、ラッチ出力Ａとラッチ出力Ｂを比較して、ラッチ出力Ａとラッチ出力Ｂが等しい（Ａ＝Ｂ）とき、「Ｈ」を、ラッチ出力Ａとラッチ出力Ｂが異なる（Ａ≠Ｂ）とき、「Ｌ」を利得可変回路１５に出力する。いま、Ａ／Ｄ変換回路８の３ビットの出力を、Ｄ１、Ｄ２、Ｄ３、ラッチ回路５２のラッチ出力Ａを、Ａ１、Ａ２、Ａ３、ラッチ回路５３のラッチ出力Ｂを、Ｂ１、Ｂ２、Ｂ３とすると、Ａ／Ｄ変換回路８の３ビット出力が、原稿２０の地肌の画像データであるとすると、地肌を走査した場合には、どの時点においても、Ａ／Ｄ変換回路８の３ビットの出力Ｄ１、Ｄ２、Ｄ３は、不変であるので、Ａ＝Ｂとなり、地肌判別回路５１は、「Ｈ」を利得可変回路１５に出力する。また、例えば、プレスキャン時の地肌読取領域Ｊの原稿２０が地肌部分ではないとすると、このときのＡ／Ｄ変換回路８の３ビット出力Ｄ１、Ｄ２、Ｄ３は、図８に示すように、異なった出力値となり、時刻Ｔ１から時刻Ｔ３の期間にラッチ回路５２のラッチ出力Ａ１、Ａ２、Ａ３とラッチ回路５３のラッチ出力Ｂ１、Ｂ２、Ｂ３が同じでないもの、すなわち、Ａ≠Ｂとなる出力値が出現し、地肌でないことを判別することができる。なお、Ａ／Ｄ変換回路８のデジタルの４ビットの画像信号のうち、最小位ビットは、ノイズ等の影響により変動する可能性があるため、地肌判別に使用しておらず、また、この最小位ビットを地肌判別に用いなくても、判別結果に影響を与えることはない。
【００６８】
利得可変回路１５は、地肌判別回路５１から地肌であることを示す「Ｈ」が入力されると、判定回路１４の判定結果に応じて、増幅器７の利得の調整制御を行い、地肌判別回路５１から地肌でないことを示す「Ｌ」が入力されると、判定回路１４の判定結果のいかんにかかわらず、増幅器７の利得の調製制御を行わない。
【００６９】
したがって、本実施の形態によれば、地肌判別回路５１により、プレスキャン時に、原稿２０の地肌読取領域Ｊを読み取った画像信号が原稿２０の地肌の画像信号であるかどうかを判別し、地肌を有していない原稿２０については、判定回路１４からの判定結果のいかんにかかわらず利得可変回路１５による増幅器７の利得の調整制御を行うことなく、通常の読取動作を行い、地肌であるときのみ、判定回路１４からの判定結果に基づいて利得可変回路１５による増幅器７の利得の調整制御を行うことができる。その結果、地肌を取り除いた読取動作を安定して、かつ、地肌部分の取り除きを指示する操作を行うことなく、高品位な画像の読み取りを行うことができる。
【００７０】
図９〜図１３は、本発明の画像読取装置の第５の実施の形態を示す図である。本実施の形態は、上記第１の実施の形態と同様の実施の形態に適用したものであり、本実施の形態の説明においては、上記第１の実施の形態と同様の構成部分には、同一の符号を付して、その詳細な説明を省略する。
【００７１】
図９において、画像読取装置６０は、上記第１の実施の形態の画像読取装置１と同様に、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、ピーク検出器１３、判定回路１４、光源駆動回路１７、モータ１８及びモータ駆動制御回路１９等を備えているとともに、駆動信号発生回路６１及び利得可変回路６２を備えている。
【００７２】
駆動信号発生回路６１には、判定回路１４からプレスキャン開始時に読み取る原稿２０の読取領域ＹＡ外に設けられた白基準板２１のピーク値であるＡ／Ｄ変換回路８の基準値とピーク検出器１３の検出したピーク値との偏差が予め設定されている基準偏差を超えているか否か、すなわち、増幅器７の利得の調整制御が必要か否かの判定結果が入力され、駆動信号発生回路６１は、判定回路１４から増幅器７の利得の調整制御が必要である旨の判定結果が入力されると、予め設定されている通常の位相よりも所定量遅れた位相の駆動信号をＣＣＤセンサアレイ６に出力するとともに、利得可変回路６２に出力する。
【００７３】
すなわち、駆動信号発生回路６１は、例えば、図１０に示すように、遅延素子６３とマルチプレクサ６４等を備えている。遅延素子６３及びマルチプレクサ６４には、駆動信号が入力され、マルチプレクサ６４には、さらに、図９の判定回路１４からの判定結果が入力される。
【００７４】
遅延素子６３は、図１１（ａ）及び図１１（ｂ）に示すように、駆動信号を所定量ｄだけ送らせてマルチプレクサ６４に出力する。マルチプレクサ６４は、通常、１１（ａ）に示す通常の駆動信号をＣＣＤセンサアレイ６に出力するが、判定回路１４から増幅器７の利得の増大が必要であるとの判定結果が入力されると、図１１（ｄ）に示すＴＧ信号が「Ｈ」の期間、図１１（ａ）に示す通常の駆動信号から図１１（ｂ）に示す通常の駆動信号よりも所定量ｄだけ遅延された駆動信号を選択してＣＣＤセンサアレイ６に出力する。
【００７５】
再び、図９において、ＣＣＤセンサアレイ６は、この位相の遅れた駆動信号に基づいて動作し、光電変換して画像信号を増幅器７に出力する。
【００７６】
利得可変回路１２は、駆動信号発生回路６１からの位相が変化されたことを認識すると、判定回路１４からの判定結果と偏差に基づいて、増幅器７の利得を調整制御、すなわち、増幅器７の利得を増大させる調整制御を行う。すなわち、通常、増幅器７は、利得が増大されると、その周波数帯域が低下し、ＣＣＤセンサアレイ６の出力波形が劣化するが、ＣＣＤセンサアレイ６の駆動信号の位相を遅らせると、ＣＣＤセンサアレイ６の出力波形の劣化を補正することができる。
【００７７】
したがって、本実施の形態によれば、判定回路１４が増幅器７の利得の増大が必要であると判定すると、ＣＣＤセンサアレイ６の駆動信号の位相を遅らせるので、増幅後の画像信号のサンプリングを確実に行うことができ、安定した高品位な画像を読み取ることができる。
【００７８】
また、本実施の形態の場合、駆動信号発生回路６１の代わりに、図１２に示すような駆動信号発生回路７０を設け、判定回路１４が増幅器７の利得の調整制御が必要であると判定したとき、駆動信号発生回路７０が、地肌読取領域Ｊでは、通常の周波数よりも所定量低い周波数の駆動信号をＣＣＤセンサアレイ６に出力し、地肌読取領域Ｊ以外の読取領域ＹＡにおいては、通常の周波数よりも所定量高い周波数の駆動信号をＣＣＤセンサアレイ６に出力するようにしてもよい。そして、駆動信号発生回路７０が周波数の異なる駆動信号を出力した後、利得可変回路６２が増幅器７の利得の調製制御を行う。
【００７９】
この場合の駆動信号発生回路７０は、図１２に示すように、発振器７１、分周器７２、７３、プリセット器７４、インバータ７５、カウンタ７６、７７、ラッチＬ１、Ｌ２、Ｌ３及びゲートＧ１、Ｇ２、Ｇ３、Ｇ４、Ｇ５、Ｇ６等を備えており、発振器７１は、所定周波数のパルスを分周器７２、プリセット器７４及びラッチＬ３に出力する。プリセット器７４には、判定回路１４からの増幅器７の利得の増大が必要であるか否かの判定結果と図示しないＴＧ信号発生器からの光蓄電時間を示すＴＧ信号（図１３（ａ）参照）が入力され、プリセット器７４は、判定回路１４から増幅器７の利得の増大が必要でない旨の「Ｌ」の判定結果が入力されると、ＴＧ信号が「Ｈ」の期間に、予め設定されたプリセット値ＰＬを分周器７２に出力する。このプリセット値ＰＬは、初期値である初期プリセット値ＰＳよりも小さな値である。分周器７２は、プリセット値ＰＬにより決定されるクロック数をカウントすると、リップルキャリー信号ＲＣを分周器７３に出力するとともに、リップルキャリー信号ＲＣをフィードバックして、その都度、プリセット値ＰＬをロードする。分周器７３は、分周器７２から入力されるリップルキャリー信号ＲＣを分周してクロックＣＬＫ１及びクロックＣＬＫ２を生成し、クロックＣＬＫ１をカウンタ７６及びゲートＧ３に出力するとともに、クロックＣＬＫ２をカウンタ７７、ゲートＧ４及びゲートＧ５に出力する。ここで、クロックＣＬＫ１が、地肌読取領域（無効画素域）Ｊの画像信号の処理に用いる駆動信号を生成するために用いるクロックで、クロックＣＬＫ２が、地肌読取領域Ｊ以外の読取領域（有効画素域）ＹＡの画像信号の処理に用いる駆動信号を生成するために用いるクロックであり、クロックＣＬＫ１の周波数は、図１３の（ｂ）と図１３の（ｅ）に示すように、クロックＣＬＫ２の周波数よりも大きい（クロックＣＬＫ１の周波数＞クロックＣＬＫ２の周波数）である。また、分周器７３には、ＴＧ信号がインバータ７５を介して入力されており、分周器７３は、ＴＧ信号が「Ｈ」の期間、分周動作を停止する。
【００８０】
カウンタ７６には、上記分周器７３からのクロックＣＬＫ１が入力されるとともに、インバータ７５で反転されたＴＧ信号が入力され、カウンタ７６は、図１３に示すように、ＴＧ信号が「Ｈ」になると、出力をクリアし、ＴＧ信号が「Ｌ」になると、クロックＣＬＫ１のカウントを開始して、読取領域（有効画素域）ＹＡまでの地肌読取領域Ｊの画素数に達すると、図１３（ｃ）に示すリップルキャリー信号ＲＣ１をラッチＬ１に出力する。ラッチＬ１は、図１３（ｄ）に示すように、通常、「Ｌ」の出力信号Ｑ１をゲートＧ１、ゲートＧ２及びカウンタ７７に出力し、カウンタ７６からリップルキャリー信号ＲＣ１が入力されると、出力信号Ｑ１を「Ｈ」に切り換えて出力する。ゲートＧ１には、ラッチＬ２の出力信号Ｑ２がさらに入力され、ゲートＧ２には、さらに、ラッチＬ２の出力信号Ｑ２が入力される。ゲートＧ１の出力は、ゲートＧ３に出力され、ゲートＧ３には、さらに、分周器７３からのクロックＣＬＫ１及びラッチＬ３からの反転出力信号／Ｑ３が入力される。ゲートＧ２の出力は、ゲートＧ４に入力され、ゲートＧ４には、さらに、分周器７３からのクロックＣＬＫ２及びラッチＬ３からの反転出力信号／Ｑ３が入力される。ゲートＧ５には、分周器７３からのクロックＣＬＫ２が入力されるとともに、ラッチＬ３の出力信号Ｑ３が入力され、ゲートＧ３、ゲートＧ４及びゲートＧ５の出力は、ゲートＧ６に出力され、ゲートＧ６は、その出力を駆動信号としてＣＣＤセンサアレイ６に出力する。
【００８１】
上記カウンタ７７には、上述のように、分周器７３からクロックＣＬＫ２が入力されるとともに、ラッチＬ１の出力信号Ｑ１が入力され、カウンタ７７は、図１３に示すように、ラッチＬ１から「Ｈ」の出力信号Ｑ１が入力されると、分周器７３からのクロックＣＬＫ２により地肌読取領域Ｊ以外の読取領域（有効画素域）ＹＡの画素数のカウントを開始し、地肌読取領域Ｊ以外の読取領域ＹＡの画素数をカウントすると、図１３（ｆ）に示すリップルキャリー信号ＲＣ２をラッチＬ２に出力する。ラッチＬ２は、図１３（ｇ）に示すように、通常、「Ｌ」の出力信号Ｑ２をゲートＧ１及びゲートＧ２に出力し、カウンタ７７からリップルキャリー信号ＲＣ２が入力されると、出力信号Ｑ２を「Ｈ」に切り換えて、ゲートＧ１及びゲートＧ２に出力する。
【００８２】
したがって、カウンタ７６が地肌読取領域（無効画素域）Ｊの画素数をカウントするまでは、ゲートＧ３がアクティブとなって、図１３（ｈ）に示すように、分周器７３からのクロックＣＬＫ１がゲートＧ３及びゲートＧ６を介して、駆動信号ＣＬＫＤとしてＣＣＤセンサアレイ６に出力され、カウンタ７６が地肌読取領域（無効画素域）Ｊの画素数をカウントした後、カウンタ７７が地肌読取領域Ｊ以外の読取領域（有効画素域）ＹＡの画素数をカウントするまでは、図１１（ｃ）及び図１３（ｈ）に示すように、ゲートＧ４がアクティブとなって、分周器７３からのクロックＣＬＫ２がゲートＧ４及びゲートＧ６を介して駆動信号ＣＬＫＤとしてＣＣＤセンサアレイ６に出力される。そして、カウンタ７７が地肌読取領域Ｊ以外の読取領域ＹＡの画素数をカウントしてリップルキャリー信号ＲＣ２をラッチＬ２に出力し、ラッチＬ２の出力信号Ｑ２が「Ｈ」に切り換わると、再び、ゲートＧ３がアクティブとなって、分周器７３からのクロックＣＬＫ１がゲートＧ３及びゲートＧ６を介して駆動信号ＣＬＫＤとしてＣＣＤセンサアレイ６に出力される。また、ラッチＬ１及びラッチＬ２には、ＴＧ信号がインバータ７５で反転されて入力されており、ラッチＬ１及びラッチＬ２は、ＴＧ信号によりクリアされて、上記動作を１ライン走査毎に切り返し行う。そして、ＴＧ信号が「Ｈ」の期間は、分周器７３からクロックＣＬＫ１は出力されるが、分周器７３動作しないので、駆動信号ＣＬＫＤは、「Ｈ」あるいは「Ｌ」の一定値に保たれる。
【００８３】
また、駆動信号発生回路７０は、判定回路１４から増幅器７の利得の増大調整が不必要である旨の「Ｈ」の判定結果が入力されると、ラッチＬ３が「Ｈ」の出力信号Ｑ３をゲートＧ５に出力するとともに、「Ｌ」の反転出力信号／ＱをゲートＧ３及びゲートＧ４に出力し、ゲートＧ５のみがアクティブとなる。したがって、判定回路１４が増幅器７の利得の増大調整が不必要であると判定したときには、分周器７３は、初期プリセット値ＰＳをロードしたときのクロックＣＬＫ２をゲートＧ５に出力し、このクロックＣＬＫ２がゲートＧ５及びゲートＧ６を介して駆動信号ＣＬＫＤとしてＣＣＤセンサアレイ６に出力される。このときのクロックＣＬＫ２は、その周波数が、初期プリセット値ＰＳにより、利得可変時のクロックＣＬＫ２よりも高く、クロックＣＬＫ１よりも低くなっている。
【００８４】
したがって、増幅器７の帯域が利得の増大により低下して、ＣＣＤセンサアレイ６の出力波形が劣化するのを、地肌読取領域Ｊ以外の読取領域ＹＡ（すなわち、原稿２０の有効読取領域）でＣＣＤセンサアレイ６の駆動信号ＣＬＫＤの周波数を低くすることで対応することができ、地肌読取領域ＪでＣＣＤセンサアレイ６の駆動信号ＣＬＫＤの周波数を高くすることで、光蓄積時間をほぼ一定に保って、暗時出力成分が増大するのを防止することができる。
【００８５】
その結果、図１３に示したように、判定回路１４が利得可変回路６２による増幅器７の利得の増大調整が必要と判定すると、駆動信号発生回路７０が、地肌読取領域（無効画素域）Ｊでは、通常の周波数よりも高い周波数の駆動信号ＣＬＫＤを、地肌読取領域Ｊ以外の読取領域（有効画素域）ＹＡでは、通常の周波数よりも低い周波数の駆動信号ＣＬＫＤを出力した後、利得可変回路６２により増幅器７の利得を増大調整するので、画像信号のサンプリングを確実に行えるとともに、光蓄積時間をほぼ一定に保つことができ、暗時出力成分を増大させることなく、安定して高品位な画像を読み取ることができる。
【００８６】
図１４及び図１５は、本発明の画像読取装置の第６の実施の形態を示す図である。本実施の形態は、上記第１の実施の形態と同様の実施の形態に適用したものであり、本実施の形態の説明においては、上記第１の実施の形態と同様の構成部分には、同一の符号を付して、その詳細な説明を省略する。
【００８７】
図１４において、画像読取装置８０は、上記第１の実施の形態の画像読取装置１と同様に、コンタクトガラス２、光源３、ミラー４、結像レンズ５、ＣＣＤセンサアレイ６、増幅器７、Ａ／Ｄ変換回路８、暗出力補正回路９、シェーディング補正回路１０、線密度変換回路１１、インターフェース１２、判定回路１４、利得可変回路１５、光源駆動回路１７、モータ１８及びモータ駆動制御回路１９等を備えているとともに、積算平均化回路８１及びピーク検出器８２を備えている。
【００８８】
積算平均化回路８１には、Ａ／Ｄ変換回路８のデジタル変換した画像信号が入力され、積算平均化回路８１は、プレスキャン時、Ａ／Ｄ変換回路８から入力される地肌読取領域Ｊの１ライン分の画像信号を所定ライン数分（ｎ回分）積算平均して、積算平均値をピーク検出器８２に出力する。
【００８９】
ピーク検出器８２は、Ｄ／Ａ変換機能を備え、積算平均化回路８１から入力される積算平均値をアナログ変換して、変換結果を保持し、判定回路１４に出力する。
【００９０】
すなわち、積算平均化回路８１は、図１５（ａ）に示すように、Ｌ１、Ｌ２、Ｌ３、・・・、Ｌｎからなるデジタルの画像信号が入力されると、図１５の（ｂ）及び（ｃ）に示す制御信号ａ、ｂにより、プレスキャンにおける地肌読取領域Ｊの画像信号の積算処理を行い、地肌読取領域Ｊ以外のプレスキャン及び本スキャン時には、積算処理を行わない。
【００９１】
いま、積算するライン数（ｎ）を４（ｎ＝４）とすると、積算平均化回路８１は、制御信号ｂが「Ｌ」になると、画像信号Ｌ１のラインデータのみを積算平均化回路８１内のメモリ（図示略）に書き込み、図１５（ｂ）に示すように、次に制御信号ｂが「Ｈ」になる画像信号Ｌ２のタイミングで、メモリに書き込んだ画像信号Ｌ１を読み出すとともに、画像信号Ｌ２の対応するドット位置データに積算して、積算結果Ｌ１＋Ｌ２を、再度メモリに書き込む。同様に、積算平均化回路８１は、画像信号Ｌ３のタイミングにおいても、画像信号Ｌ２の場合と同様に、メモリに書き込んだ積算結果Ｌ１＋Ｌ２を読み出して、画像信号Ｌ３の対応するドット位置データに積算して、積算結果Ｌ１＋Ｌ２＋Ｌ３を、再度、メモリに書き込む。そして、、図１５（ｃ）に示すように、制御信号ｃが「Ｌ」になると、積算平均化回路８１は、上記同様に、メモリに書き込んだ積算結果Ｌ１＋Ｌ２＋Ｌ３を読み出して、画像信号Ｌ４の対応するドット位置データに積算して、積算結果Ｌ１＋Ｌ２＋Ｌ３＋Ｌ４を、平均化して新たな１ラインデータＬ’１としてピーク検出器８２に出力する。その後、再度、制御信号ｂが「Ｌ」になると、積算平均化回路８１は、画像信号Ｌ５から画像信号Ｌ８について、上記同様の積算処理及び平均化処理を行って新たな画像信号Ｌ’２を生成して、ピーク検出器８２に出力する。積算平均化回路８１は、以下、同様に、Ａ／Ｄ変換回路８からの画像信号を積算・平均化して新たな画像信号Ｌ’３、Ｌ’４、・・・、Ｌ’ｍを、積算平均値として順次ピーク検出器８２に出力する。
【００９２】
そして、ピーク検出器８２は、上述のように、積算平均化回路８１から入力される積算平均値をＬ’１、Ｌ’２、Ｌ’３、・・・、Ｌ’ｍをアナログ変換して、変換結果を保持し、判定回路１４に出力する。
【００９３】
判定回路１４は、このアナログ変換された積算平均値Ｌ’１、Ｌ’２、Ｌ’３、・・・、Ｌ’ｍに基づいて、上記第１の実施の形態と同様に、増幅器７の利得の制御調整が必要であるかの判別を行って、利得可変回路１５に出力し、利得可変回路１５は、判定回路１４の判定結果に基づいて増幅器７の利得の調整制御を行う。
【００９４】
したがって、本実施の形態の画像読取装置８０によれば、Ａ／Ｄ変換回路８のデジタル変換した画像信号を積算平均化回路８１により積算平均化して、この積算平均化された画像信号をピーク検出器８２で検出し、ピーク検出器８２の検出した積算平均値とＡ／Ｄ変換回路８の基準値に基づいて判定回路１４が増幅器７の利得の調整制御が必要であるか否かを判定するので、判定回路１４による判定を確実に行うことができ、安定した高品位な画像を読み取ることができる。
【００９５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９６】
例えば、上記各実施の形態においては、コンタクトガラス２上に固定的にセットされた原稿２０をコンタクトガラス２を移動させて原稿２の画像を読み取る画像読取装置に適用しているが、読取機構としては、上記のものに限るものではなく、例えば、コンタクトガラス上を原稿を搬送しつつ、読み取るものやコンタクトガラス上に固定的にセットされた原稿に光源やミラー及びレンズ等の読取機構を搭載した走行体を移動させて原稿の画像を読み取る画像読取装置に対しても、同様に適用することができる。
【００９７】
また、上記実施の形態の大部分の実施の形態においては、Ａ／Ｄ変換回路８の基準値として、プレスキャン時に白基準板２１を読み取ったときの画像信号のピーク値を採用しているが、Ａ／Ｄ変換回路８の基準値としては、これに限るものではなく、例えば、プレスキャン時に地肌読取領域Ｊを読み取った画像信号のピーク値をＡ／Ｄ変換回路８の基準値としてもよい。
【００９８】
【発明の効果】
請求項１記載の発明の画像読取装置によれば、増幅手段の利得を増大させる際、増幅手段の利得を増大させるに先立って、地肌読取領域以外の原稿の読取領域においては、光電変換手段に出力する駆動信号の周波数を所定の周波数よりも所定量低い周波数に変化させ、地肌読取領域においては、所定の周波数よりも所定量高い周波数に変化させるので、画像信号のサンプリングを確実に行うことができるとともに、光蓄積時間をほぼ一定にすることができ、暗時出力成分を増大させることなく、より一層安定した高品位な画像の読み取りを行うことができる。
【００９９】
請求項２記載の発明の画像読取装置によれば、増幅手段の利得調整処理の強制動作を指示する白基準指示手段を設け、白基準指示手段により利得調整処理の強制動作指示が行われると、プレスキャン時の地肌読取領域の画像信号のピーク値とＡ／Ｄ変換手段の基準値との偏差が予め設定された基準偏差より大きいか否かにかかわらず、増幅手段の利得調整処理を行うので、原稿の地肌を取り除いた読取動作を行うことができ、高品位な画像の読み取りを行うことができる。
【０１００】
請求項３記載の発明の画像読取装置によれば、プレスキャン時に、地肌読取領域の画像信号の平均値とＡ／Ｄ変換手段の基準値との偏差を算出し、当該偏差が基準偏差より大きいか否かを判定するので、原稿の地肌をより一層適切に取り除いた読取動作を行うことができ、より一層高品位な画像の読み取りを行うことができる。
【０１０３】
請求項４記載の発明の画像読取装置によれば、地肌読取領域を、白基準板に隣接して設けているので、プレスキャン時に、白基準板の読取条件とほぼ同じ読取条件より地肌読取領域の読み取りを行うことができ、増幅手段の利得の調整処理が必要であるか否かをより一層確実に、かつ、適切に行って、より安定した高品位な画像の読み取りを行うことができる。
【図面の簡単な説明】
【図１】本発明の画像読取装置の第１の実施の形態を適用した画像読取装置の要部構成図。
【図２】図１の白基準板及び地肌読取領域部分の拡大正面図。
【図３】図１のＣＣＤセンサアレイの１ライン分の出力（ｉ）と当該出力から転送クロック成分を取り除いたアナログ信号（ｉｉ）を示す図。
【図４】本発明の画像読取装置の第２の実施の形態を適用した画像読取装置の要部構成図。
【図５】本発明の画像読取装置の第３の実施の形態を適用した画像読取装置の要部構成図。
【図６】本発明の画像読取装置の第４の実施の形態を適用した画像読取装置の要部構成図。
【図７】図６の地肌判別回路の詳細な回路図。
【図８】図７の各部の信号波形を示すタイミング図。
【図９】本発明の画像読取装置の第５の実施の形態を適用した画像読取装置の要部構成図。
【図１０】図９の駆動信号発生回路の詳細な回路図。
【図１１】通常の駆動信号（ａ）、利得増大時の駆動信号（ｂ）、（ｃ）及びＴＧ信号（ｄ）を示す図。
【図１２】図９の画像読取装置の駆動信号発生回路の他の例の詳細な回路図。
【図１３】図１２の各部の信号波形を示すタイミング図。
【図１４】本発明の画像読取装置の第６の実施の形態を適用した画像読取装置の要部構成図。
【図１５】図１４の積算平均化回路による画像信号の積算平均化処理を説明するための信号波形を示すタイミング図。
【符号の説明】
１、３０、４０、５０、６０、７０、８０  画像読取装置
２  コンタクトガラス
３  光源
４  ミラー
５  結像レンズ
６  ＣＣＤセンサアレイ
７  増幅器
８  Ａ／Ｄ変換回路
９  暗出力補正回路
１０  シェーディング補正回路
１１  線密度変換回路
１２  インターフェース
１３  ピーク検出器
１４  判定回路
１５、６２  利得可変回路
１６、６１  駆動信号発生回路
１７  光源駆動回路
１８  モータ
１９  モータ駆動制御回路
２０  原稿
２１  白基準板
３１  白基準選択部
４１  白基準指示部
５１  地肌判別回路
５２、５３  ラッチ回路
５４  ビットコンパレータ
６３  遅延素子
６４  マルチプレクサ
７１  発振器
７２、７３  分周器
７４  プリセット器
７５  インバータ
７６、７７  カウンタ
Ｌ１、Ｌ２、Ｌ３  ラッチ
Ｇ１、Ｇ２、Ｇ３、Ｇ４、Ｇ５、Ｇ６  ゲート
８１  積算平均化回路
８２  ピーク検出器
【図１】
0003625962.tif 000002
【図２】
0003625962.tif 000003
【図３】
0003625962.tif 000004
【図４】
0003625962.tif 000005
【図５】
0003625962.tif 000006
【図６】
0003625962.tif 000007
【図７】
0003625962.tif 000008
【図８】
0003625962.tif 000009
【図９】
0003625962.tif 000010
【図１０】
0003625962.tif 000011
【図１１】
0003625962.tif 000012
【図１２】
0003625962.tif 000013
【図１３】
0003625962.tif 000014
【図１４】
0003625962.tif 000015
【図１５】
0003625962.tif 000016